(57)【要約】  本発明は、フック、マッシュルームの頭部、またはループのような複数の開閉要素（２、１０２、２０２、３０２、３０２ａ）を備えた開閉メカニズム（１、１０１、２０１、３０１）に関する。その開閉メカニズム（１、１０１、２０１、３０１）は平らなキャリヤ（３、１０３、２０３、３０３）とそのキャリヤ（３、１０３、２０３、３０３）の少なくとも１つの表面（４）から突出した開閉要素（２、１０２、２０２、３０２、３０２ａ）を有している。本発明の開閉メカニズム（１、１０１、２０１、３０１）は、エネルギーの供給を受けた時に光を発する発光体（５、１０５、２０５、３０５）を少なくともある部分に有することを特徴としている。本発明は、また、その製造方法に関する。
2007522832.tif 000002
【特許請求の範囲】
【請求項１】
例えば、フック、マッシュルームの頭部、またはループのような複数の開閉要素（２、１０２、２０２、３０２、３０２ａ）を備えた開閉メカニズム（１、１０１、２０１、３０１）であって、
その開閉メカニズム（１、１０１、２０１、３０１）は平らなキャリヤ（３、１０３、２０３、３０３）とそのキャリヤ（３、１０３、２０３、３０３）の少なくとも１つの表面（４）から突出した開閉要素（２、１０２、２０２、３０２、３０２ａ）とを有し、    その開閉メカニズム（１、１０１、２０１、３０１）は、エネルギーの供給の結果として光を発する発光体（５、１０５、２０５、３０５）を少なくともある部分に有することを特徴とする開閉メカニズム。
【請求項２】
発光体（５、１０５、２０５，３０５）が、電気エネルギーの供給の結果として光を発する請求項１記載の粘着性締結部品（１、１０１、２０１、３０１）。
【請求項３】
発光体（５、１０５、２０５、３０５）が、平らなキャリヤ（３、１０３、２０３、３０３）に対して、厚いフィルムまたは薄いフィルムとして取り付けられる請求項１または２記載の粘着性締結部品（１、１０１、２０１、３０１）。
【請求項４】
発光体（５、１０５、２０５、３０５）が、平らなキャリヤ（３、１０３、２０３、３０３）に対して、スクリーン印刷またはオフセット印刷によって取り付けられる請求項１ないし３のいずれか１項に記載の粘着性締結部品（１、１０１、２０１、３０１）。
【請求項５】
キャリヤ（３、１０３、２０３、３０３）が、発光体（５、１０５、２０５、３０５）と電気的接触をするために、導電経路（１１５、１２０）および／又は端子電極（１５、１６）を有する請求項１ないし４のいずれか１項に記載の粘着性締結部品（１、１０１、２０１、３０１）。
【請求項６】
発光体（５、１０５、２０５、３０５）が、粘着性締結部品（１、１０１、２０１、３０１）の平らなキャリヤ（３、１０３、２０３、３０３）に積層される別のキャリヤに取り付けられる請求項１ないし５のいずれか１項に記載の粘着性締結部品（１、１０１、２０１、３０１）。
【請求項７】
粘着性締結要素（２、１０２、２０２、３０２、３０２ａ）が、平らなキャリヤ（３、１０３、２０３、３０３）と一体である請求項１ないし６のいずれか１項に記載の粘着性締結部品（１、１０１、２０１、３０１）。
【請求項８】
粘着性締結要素（２、１０２、２０２、３０２、３０２ａ）と平らなキャリヤ（３、１０３、２０３、３０３）が、熱可塑性材料の成形によって製造される請求項１ないし７のいずれか１項に記載の粘着性締結部品（１、１０１、２０１、３０１）。
【請求項９】
キャリヤ（３、１０３、２０３、３０３）および／又は粘着性締結要素（２、１０２、２０２、３０２、３０２ａ）が、ポリマープラスチックであるか若しくはポリマープラスチックから製造され、特に、熱可塑性樹脂、例えば、ポリプロピレンもしくはポリエチレンから製造され、または、デュロプラスチック、例えば、アクリル樹脂から製造される請求項１ないし８のいずれか１項に記載の粘着性締結部品（１、１０１、２０１、３０１）。   
【請求項１０】
キャリヤ（３、１０３、２０３、３０３）が繊維製品であり、特に、キャリヤ（３、１０３、２０３、３０３）は織ること、編むこと、撚り合わせること、又は刺繍によって製造される請求項１ないし７のいずれか１項に記載の粘着性締結部品（１、１０１、２０１、３０１）。
【請求項１１】
発光体（５、１０５、２０５、３０５）が繊維のキャリヤの２プライの間に位置する請求項１０記載の粘着性締結部品（１、１０１、２０１、３０１）。
【請求項１２】
粘着性締結部品（１、１０１、２０１、３０１）が、さらにエネルギー貯蔵器具、特に、厚いフィルムまたは薄いフィルムの形態である電気化学エネルギー貯蔵器具を有する請求項１ないし１１のいずれか１項に記載の粘着性締結部品（１、１０１、２０１、３０１）。
【請求項１３】
例えば、フック、マッシュルームの頭部、またはループのような複数の粘着性締結要素（２、１０２、２０２、３０２、３０２ａ）を備えた粘着性締結部品（１、１０１、２０１、３０１）を製造するための方法であって、
その粘着性締結部品（１、１０１、２０１、３０１）は平らなキャリヤ（３、１０３、２０３、３０３）とそのキャリヤ（３、１０３、２０３、３０３）の少なくとも１つの表面（４）から突出した粘着性締結要素（２、１０２、２０２、３０２、３０２ａ）とを有し、その粘着性締結部品（１、１０１、２０１、３０１）は、エネルギーの供給の結果として光を発する発光体（５、１０５、２０５、３０５）を少なくともある部分に有し、    その発光体（５、１０５、２０５、３０５）はすでに粘着性締結要素（２、１０２、２０２、３０２、３０２ａ）を有するキャリヤ（３、１０３、２０３、３０３）に取り付けられていることを特徴とする方法。
【請求項１４】
発光体（５、１０５、２０５、３０５）が、平らなキャリヤ（３、１０３、２０３、３０３）に対して、厚いフィルムまたは薄いフィルムとして取り付けられ、特に、印刷される請求項１３記載の方法。
【請求項１５】
粘着性締結要素（２、１０２、２０２、３０２、３０２ａ）を有するキャリヤ（３、１０３、２０３、３０３）に発光体（５、１０５、２０５、３０５）を取り付ける前に、取り付けられる発光体（５、１０５、２０５、３０５）の接着性を改善するための表面処理がキャリヤ（３、１０３、２０３、３０３）に施される請求項１３または１４記載の方法。
【発明の詳細な説明】
【技術分野】
【０００１】
本発明は、発光体を有する開閉メカニズム、及びそのような開閉メカニズムの製造方法に関する。
【背景技術】
【０００２】
一般的な粘着性締結部品は、DE 196 46 318 A1において知られている。互いに動的に結合することができる２つの粘着性締結部品から形成される粘着性締結器具は、しばしば織物または他の衣類に使用されており、登録商標Velcroファスナーとして知られている。他の適用例は、例えば、装着手段、例えば、自動車の内装の締結要素、または、取り外すことができる締結器具の製造である。
【発明の開示】
【発明が解決しようとする課題】
【０００３】
本発明の目的は、粘着性締結部品および粘着性締結器具の機能を増加することと、そのような粘着性締結部品に対する適切な製造プロセスを提供することにある。
【課題を解決するための手段】
【０００４】
この目的は、請求項１記載の粘着性締結部品および下位の請求項に記載の製造プロセスによって達成される。本発明の特別のバージョンは従属形式請求項に記載されている。
【発明を実施するための最良の形態】
【０００５】
例えば、本発明の目的は、フック、マッシュルームの頭部、またはループのような複数の粘着性締結要素を備えた粘着性締結部品において、その粘着性締結部品は平らなキャリヤとそのキャリヤの少なくとも１つの表面から突出した粘着性締結要素とを有し、その粘着性締結部品が、エネルギーの供給の結果として、好ましくは電気エネルギーの供給の結果として光を発する発光体を少なくともある部分に有することによって達成される。
【０００６】
好ましくは、発光体は、一連の電解発光層としてキャリヤに取り付けられる。さらに、電解発光層に加えて、電極層、カバー層、反射層、および／又は保護層をキャリヤに取り付けることができる。電解発光は、電場の作用の結果として光を発する物質の特性として定義される。それらの層は、覆うこともできるし、覆わなくてもよい。発光層の被覆は、カバー層および／又は反射層によってすることができる。
【０００７】
粘着性締結部品は、弾性的または塑性的に容易に変形できることが好ましく、ほとんど如何なる形状にも成形しうることが好ましい。粘着性締結部品は、その粘着機能と発光機能を保持しながら、深絞り成形できることが好ましい。基本的に、発光体はキャリヤ上および／又はキャリヤ内に配置することができる。発光体は、粘着性締結部品の平らなキャリヤに対して、厚いフィルムまたは薄いフィルムとして取り付けられることが好ましい。また、発光体は粘着性締結部品の平らなキャリヤに結合される別のキャリヤ、特に、その平らなキャリヤに積層した別のキャリヤに取り付けられる。
【０００８】
基本的に、厚いフィルムまたは薄いフイルムの製造において知られているすべてのプロセスは、粘着性締結部品のキャリヤに対する発光体の取り付けに利用することができる。本発明の一実施形態において、発光体は、スクリーン印刷またはオフセット印刷によって平らなキャリヤに取り付けられる。発光体の取り付けとともに、導電経路、端子電極、または他の電気部品および／又は電子部品を同時に製造することができる。
【０００９】
粘着性締結部品の平らなキャリヤの材料は、例えば、少なくともある部分において半導体であるポリマープラスチックまたは繊維材料からなり、例えば、電解効果を利用したトランジスターのような電子部品を粘着性締結部品に一体に組み込むことができる。ハイブリッド電子回路を一体に組み込むことができ、例えば、５０μｍより薄く、好ましくは２０μｍより薄くて可撓性のあるシリコン基板上、キャリヤ上もしくはキャリヤ内に回路または太陽電池を固定することができ、それらを繊維のキャリヤに組み入れることができる。このように、電解発光電池の作動のためにしばしば必要な電圧コンバーター要素を一体に組み込むことができる。
【００１０】
電力は外部のエネルギー貯蔵器具によって供給することができる。粘着性締結部品は、エネルギー貯蔵器具、特に、薄いフィルムまたは厚いフィルムの形態をした電気化学エネルギー貯蔵器具を備えることができる。
【００１１】
キャリヤおよび／又は粘着性締結要素は、ポリマープラスチック、例えば、ポリプロピレンもしくはポリエチレンのようなポリオレフィン、ポリアミド、ポリエステル、または腐敗して土に還元できる材料から製造されるのが好ましい。プラスチックは、熱可塑的に成形することができる。DE 196 46 318 A1 に準じた方法は、粘着性締結要素を製造するために使用することができる。熱可塑性材料に代えて、デュロプラスチック、例えば、アクリル樹脂を使用することができる。この場合、架橋は、付加されるエネルギーの量、特に、熱の放射および／又は熱の供給によって制御することができる。また、他の適当なプラスチックを使用することができる。粘着性締結要素はキャリヤと一体であることが好ましい。粘着性締結要素はDE 101 06 705 C1 に記載されているように製造することができる。特に、粘着性締結要素は連続する小滴として形成される。
【００１２】
本発明の一実施形態において、光または情報ディスプレイを、近づきにくい位置に、形状の自由度は大きいが空間を節約するような方法で、必要ならば取り外すことができるように容易に装着することができる。例えば、このようにして簡単に装着することができる非常灯を実現することができる。さらに、本発明の請求の範囲に記載されているように、眩惑しない光を、一般的な照明手段に代えて、または、一般的な照明手段に加えて実現することができる。本発明の請求の範囲に記載されているように、容易に交換することができる発光広告を実現することができる。
【００１３】
本発明の請求の範囲に記載された器具は、薄くて軽量であり、発光強度および／又は着色温度を制御することができ、防爆発光体を提供する。粘着性締結部品との組み合わせに基づいて、二次元または三次元形状の物体は良好な耐久性および信頼性の下で一様に照明されるか、または限定的な範囲が照らされる。潜在的な寿命は、公知の発光体、特に、フィラメントを有する発光体に比べて長い。トリガー電子機器のような端子と接触点を、粘着性締結部品に一体に組み込むことができる。例えば、受信機を粘着性締結部品に一体に組み込み、その受信機によって制御信号を受信して発光体を点滅させることができる。発せられる光の波長は、可視光線および／又は不可視光線の範囲、例えば、赤外線の範囲とすることができ、低い発光信号強度は熱像形成カメラによって探知することができる。
【００１４】
例えば、言葉および／又は画像の形態をした命令、指示および禁止の情報は発光体に取り付けるか、特に、印刷することができる。発光体は、粘着性締結部品の表面において、粘着性締結要素とは反対側に配置するのが好ましい。また、粘着性締結要素はキャリヤの２つの表面から突出させることができる。特に、粘着性締結部品のキャリヤが透明であるとき、発光体の取り付けのために、粘着性締結要素を有する表面に部分的に粘着性締結要素を設けないようにすることもできる。このようにして、発光体および／又はその電気的接触は、粘着性締結部品への取り付け後は、如何なる場合においても、キャリヤによって保護される。
【００１５】
粘着性締結部品のキャリヤは、繊維製品、特に、織ること、編むこと、撚り合わせること、または刺繍によって製造される製品とすることができる。この場合、例えば、繊維製品の異なるプライの個々の糸、もしくは糸群、特に、縦糸および／又は横糸は接続線として製造することができ、例えば、接続線は導電性フィラメントによって形成することができ、接続線は導線性被覆を有することもできる。発光体は繊維のキャリヤの２プライの間に配置するのが好ましい。発せられた光は、カバープライを輝かせることができる。この場合、繊維のカバープライに対して発光体によって照らされる情報を加工すること、例えば、織ることができる。
【００１６】
本発明は、また、上記した発光体を備えた粘着性締結部品を製造するための方法に関する。その発光体は、粘着性締結要素がすでに取り付けられたキャリヤに取り付けられる。本発明の一実施形態において、発光体は、平らなキャリヤに対して、厚いフィルムまたは薄いフィルムとして取り付けられ、特に、印刷される。これは、特に、粘着性締結要素と平らなキャリヤが熱可塑的な成形によって１ピースにされるとき、好都合である。
【００１７】
発光体の電気的接触は、一定構造の格子形状の粘着性締結要素の各々またはグループの導電性に影響を及ぼすことによって可能である。粘着性締結部品のキャリヤに取り付けられる発光体の接着性は、表面近くのキャリヤ分子の極性を増加するガス雰囲気による表面処理によって改善することができる。
【実施例】
【００１８】
本発明のさらなる利点、特徴および詳細は、従属形式請求項および以下の記載から明かであり、以下には、添付図面を参照しながら具体的な実施例が記載される。これに関して、請求の範囲および詳細な説明に記載した特徴は、個々に又は組み合わせることによって、本発明における本質的な要素を形成する。
【００１９】
図１は、本発明の粘着性締結部品１を備えた粘着性締結器具の断面図である。粘着性締結部品１は、縦横に規則正しく配置された複数の粘着性締結要素２を有している。粘着性締結要素２は、熱可塑的に成形することができるプラスチックの平らなキャリヤ３と一体で形成され、粘着性締結要素２はキャリヤ３の第一表面４から斜めに突出し、好ましくは直角に突出している。
【００２０】
キャリヤ３の第一表面４とは反対側の第二表面６上に発光体５がある。発光体５は、すでに粘着性締結要素２を有するキャリヤ３に対して厚いフィルム形成手段、特に、スクリーン印刷によって取り付けられ、発光体５は、導電性のベース電極７と、導電性ではあるが透明なカバー電極９と、これら両電極の間に位置して充填材マトリックス１１と電解発光物質の粒子１０とを有する発光層８とからなる。電場が付加されるとき、矢示１２によって示すように、光が粒子１０によって発せられる。ベース電極７は、放射効率を増加するように、反射層として作用する。
【００２１】
電解発光物質は、例えば、硫化亜鉛および関連する化合物であり、発せられる光の色は製造プロセスおよび／又は添加剤によって決定することができる。良好な発光を得るために、１００ヘルツから１０００ヘルツの間の周波数とともに、５０ボルトと２００ボルトの間の交流電圧が必要である。一般的に、高電圧は良好な発光を引き起こす。ある範囲内の周波数を変えることによって、発せられる光の色が変化する。それに代えて、又はそれに加えて、光の色は添加物によって調整することができる。
【００２２】
粘着性締結要素２を含むキャリヤ３と発光体５の層の厚さの比率は、図に示す縮尺に限定されない。描写という目的のために、個々の層を大きく示すことができる。さらに、発光体５は、３層以上の層、特に保護層、湿気遮断層、または被覆層を含むことができる。本発明の粘着性締結部品１は、図１に示すように、別の粘着性締結部品１３と結合することができる。粘着性締結部品１３はキャリヤ３とほとんど同じように構成することができる。特に、粘着性締結要素２、１４は、互いに取り外すことができるように、かみ合わせることができるし、繊維の粘着性締結要素または衣類に結合することもできる。
【００２３】
図２は、図１の粘着性締結部品１の斜視図である。この実施例においては、発光体５は粘着性締結部品１のキャリヤ３を完全には被覆していない。導電性端子電極と配線１５、１６が粘着性締結要素２の反対側の第二表面６に取り付けられるか、特に、印刷される。電極と配線１５、１６は発光体５の端子電極と接触する。約１００ボルトの電圧が付加されるとき、光が矢印１２で示すように発せられる。情報信号が発光体５の可視表面１７に現れる。この場合、情報信号は、“矢印”と“MICROPLAST”という言葉である。
【００２４】
図３は、本発明の粘着性締結部品１０１の第二の実施例を示す。この実施例においては、粘着性締結要素１０２は発光体１０５と同じ表面に位置している。しかしながら、発光体１０５が存在するキャリヤ１０３の領域には、粘着性締結要素１０２は存在しない。発光体１０５のベース電極１０７のための接続用導線１１５は同じ表面上にあって、突出端子１１８に至っている。
【００２５】
本発明の粘着性締結部品１０１に対面する別の粘着性締結部品１１３は、粘着性締結要素１１４と接続用導線１２０に接続されている突出端子１１９とを有している。２つの
粘着性締結部品１０１と１１３の粘着性締結要素１０２と１１４は、それらを押圧することによってかみ合うことができ、同時に、２つの突出端子１１８と１１９は電気的に接触する。このようにして、ベース電極１０７との信頼性の高い接触は、接続用導線１２０を介してすることができる。
【００２６】
図４は、本発明の粘着性締結部品２０１の第三の実施例を示す。領域２２１において粘着性締結要素２０２と同様に、好ましくは熱可塑性材料からなるキャリヤ２０３は、網目の陰影を施したように、熱可塑性材料に改良を施すことによって、例えば、導電粒子を挿入することによって導電性にされる。領域２２１において、キャリヤ２０３は第二表面２０６上に位置する発光体２０５と接触する。発光体２０５は、導電性粘着性締結要素２０２と電気的に接続されている導電性端子電極２２２を有するベース電極２０７を備えている。このようにして、粘着性締結部品２０１と発光体２０５は、外部接触片２２３を介して、発光体２０５の反対側にあるキャリア２０３の背面と電気的に接触することができる。
【００２７】
図５は、本発明の粘着性締結部品３０１の第四の実施例を示す。粘着性締結部品３０１は、発光体３０５の両側にキャリヤ３０３と３０３ａを有し、キャリヤ３０３と３０３ａは、発光体３０５から離れる方向に向かってそれぞれ粘着性締結要素３０２と３０２ａを有している。発光体３０５に面するキャリヤ３０３と３０３ａの表面に反射層を取り付けることによって、光が発せられる方向を定めることができる。この実施例においては、そのような反射層はなく、特に、ベース電極３０７とカバー電極３０９はともに透明である。そこで、光は矢印３１２と３１２ａに示すように、両側に発せられる。
【００２８】
図６は、本発明の粘着性締結部品１の一適用例を示す。明確に示すという簡単な理由によって、キャリヤ３と発光体５を分離する線（図１参照）は示されていない。粘着性締結部品１は支持体２４上に粘着性締結要素２によって固定されている。支持体２４の表面は、例えば、織物のフリース材料によって形成されるか、又は別の粘着性締結部品１３が支持体２４の全表面にわたって固定されるか、又は支持体２４の表面の一部に別の粘着性締結部品１３が深絞り部として固定される。本発明の粘着性締結部品１は支持体２４の突出部の構造に関わらず、矢印１２で示すように、全方向にわたって一様な光を発することができる。特に、支持体２４の突出部の下にある領域を熱や光からさえぎらなくてもよい。本発明の粘着性締結部品１は粘着締結機能と発光機能を維持しながら深絞り部として形成することができる。そこで、複雑な形状の支持体２４に対しても正確に取り付けることができる。
【図面の簡単な説明】
【００２９】
【図１】図１は、本発明の粘着性締結部品を備えた粘着性締結器具の断面図である。
【図２】図２は、図１の粘着性締結部品の斜視図である。
【図３】図３は、本発明の第二の実施例を示す。
【図４】図４は、本発明の第三の実施例を示す。
【図５】図５は、本発明の第四の実施例を示す。
【図６】図６は、本発明の粘着性締結部品の一適用例を示す。
【符号の説明】
【００３０】
１    粘着性締結部品
２    粘着性締結要素
３    キャリヤ
４    第一表面
５    発光体
６    第二表面
７    ベース電極
８    発光層
９    カバー電極
１０  電解発光物質の粒子
１１  充填材マトリックス
１３  粘着性締結部品
１４  粘着性締結要素
１５  端子電極と配線
１６  端子電極と配線
１７  可視表面
２４  支持体
１０１  粘着性締結部品
１０２  粘着性締結要素
１０３  キャリヤ
１０５  発光体
１０７  ベース電極
１１３  粘着性締結部品
１１４  粘着性締結要素
１１５  接続用導線
１１８  突出端子
１１９  突出端子
１２０  接続用導線
２０１  粘着性締結部品
２０２  粘着性締結要素
２０３  キャリヤ
２０５  発光体
２０６  第二表面
２０７  ベース電極
２２２  端子電極
２２３  外部接触片
３０１  粘着性締結部品
３０２  粘着性締結要素
３０２ａ  粘着性締結要素
３０３  キャリヤ
３０３ａ  キャリヤ
３０５  発光体
３０７  ベース電極
３０９  カバー電極
【図１】
2007522832.tif 000003
【図２】
2007522832.tif 000004
【図３】
2007522832.tif 000005
【図４】
2007522832.tif 000006
【図５】
2007522832.tif 000007
【図６】
2007522832.tif 000008
【国際調査報告】
2007522832.tif 000009
2007522832.tif 000010
2007522832.tif 000011
2007522832.tif 000012
2007522832.tif 000013
2007522832.tif 000014